(57)【要約】      （修正有）【課題】居室が夏季に昇温してしまうことを防止するとともに、その居室の冷房効率を高めることを提供する。【解決手段】屋外の南に面する居室３を備える建物１が、居室３の東側に隣接する東側屋内空間１１と、居室３の西側に隣接する西側屋内空間６と、居室３と東側屋内空間１１との間の境界に設けられ、その境界を開閉する第一建具２ｕと、居室３と西側屋内空間６との間の境界に設けられ、その境界を開閉する第二建具８と、を備え、第一開口部１１ａが西側屋内空間６と東側屋内空間１１のうち一方の屋内空間１１の南面に設けられ、第二開口部２ｆが一方の屋内空間１１の北面に設けられ、西側屋内空間６と東側屋内空間１１のうち他方の屋内空間６が上階までの吹き抜けであり、第三開口部２ｒが他方の屋内空間６の壁に設けられ、開閉可能なトップライトが他方の屋内空間６の上部の吹き抜け部に設けられている。【選択図】図２
2016056533.tif 000002
【特許請求の範囲】
【請求項１】
南側の屋外に面する居室を備える建物において、
前記居室の東側に隣接し、南側及び東側の屋外に面する東側屋内空間と、
前記居室の西側に隣接し、南側及び西側の屋外に面する西側屋内空間と、
前記居室と前記東側屋内空間との間の境界に設けられ、その境界を開閉する第一建具と、
前記居室と前記西側屋内空間との間の境界に設けられ、その境界を開閉する第二建具と、を備え、
前記西側屋内空間と前記東側屋内空間のうち一方の屋内空間から屋外に通じた第一開口部が前記一方の屋内空間の南面に設けられ、前記一方の屋内空間から屋外に通じた第二開口部が前記一方の屋内空間の北面に設けられ、
前記西側屋内空間と前記東側屋内空間のうち他方の屋内空間が上階までの吹き抜けであり、前記他方の屋内空間から屋外に通じた第三開口部が前記他方の屋内空間の壁に設けられ、開閉可能なトップライトが前記他方の屋内空間の上部の吹き抜け部に設けられている
ことを特徴とする建物。
【請求項２】
請求項１に記載の建物において、
前記第一建具と前記第二建具の一方又は両方が可動ルーバー型の建具である
ことを特徴とする建物。
【請求項３】
請求項１又は２に記載の建物において、
前記他方の屋内空間に設けられ、前記他方の屋内空間の床から上階まで上りに設けられたストリップ階段を更に備える
ことを特徴とする建物。
【請求項４】
請求項１から３の何れか一項に記載の建物において、
前記居室の南面に設けられた第四開口部の前記屋外側に設けられ、前記第四開口部を開閉する第三建具と、
前記第四開口部の前記居室側に設けられ、前記第四開口部を開閉する第四建具と、を更に備える
ことを特徴とする建物。
【請求項５】
請求項１から４の何れか一項に記載の建物において、
前記一方の屋内空間が上階までの吹き抜けであり、開閉可能な第二トップライトが前記一方の屋内空間の上部の吹き抜け部に設けられている
ことを特徴とする建物。
【請求項６】
請求項５に記載の建物において、
前記一方の屋内空間の上部の吹き抜け部の南面に第五開口部が設けられ、
前記一方の屋内空間の上に設けられた屋根の軒先と前記第五開口部の上縁を結ぶ面の仰角が冬至の正午の日照角度に等しく、
前記軒先と前記第五開口部の下縁を結ぶ面の仰角が夏至の正午の日照角度に等しい
ことを特徴とする建物。
【発明の詳細な説明】
【技術分野】
【０００１】
本発明は建物に関する。
【背景技術】
【０００２】
特許文献１には、二階建ての住宅が開示されている。建物の１階の南部が壁によって三つの領域に区画されており、それら三つの領域のうち東側の区画にリビングルームが設けられ、中央の区画に居間及びキッチンが設けられ、西側の区画に和室及び廊下が設けられている。リビングルームは東側の区画全体を占めている。キッチンは中央の区画の北部を占め、居間は中央の区画の南部を占める。和室は西側の区画の北西部を占めるとともに、矩形状に設けられ、廊下は西側の区画の南部から東部にかけて占めるとともに、Ｌ字状に形作られている。居間の西側の壁に出入口が設けられて、その出入口によって居間と廊下の間を行き来することができ、居間の東側の壁に出入口が設けられ、その出入口によって居間とリビングルームの間を行き来することができる。更にキッチンの西側の壁に出入口が設けられ、その出入口によってキッチンと廊下の間を行き来することができる。また、東側、中央及び西側の何れの区画の南面にも窓が設けられている。
【先行技術文献】
【特許文献】
【０００３】
【特許文献１】特許第３８１４１０１号公報
【発明の概要】
【発明が解決しようとする課題】
【０００４】
ところで、特許文献１に記載の技術では、夏季の朝日と西日の時間が長く、東側区画のリビングルーム及び西側区画の和室・廊下が長時間日に当たるので、東側区画のリビングルーム及び西側区画の和室・廊下の温度が上昇してしまう。そのため、中央区画のキッチン・居間の温度が昇温してしまい、中央区画の冷房効率が低下してしまう。
そこで、本発明の目的は、居住、執務、作業、集会、娯楽その他これらに類する目的のために継続的に使用する居室が夏季に昇温してしまうことを防止するとともに、その居室の冷房効率を高めることである。
【課題を解決するための手段】
【０００５】
上記課題を解決するための請求項１に係る発明は、例えば図１〜図６に示すように、南側の屋外に面する居室３を備える建物１において、前記居室３の東側に隣接し、南側及び東側の屋外に面する東側屋内空間（例えば玄関１１）と、前記居室３の西側に隣接し、南側及び西側の屋外に面する西側屋内空間（例えば廊下６）と、前記居室３と前記東側屋内空間１１との間の境界に設けられ、その境界を開閉する第一建具（例えば引戸２ｕ）と、前記居室３と前記西側屋内空間６との間の境界に設けられ、その境界を開閉する第二建具（例えば引戸８）と、を備え、前記西側屋内空間６と前記東側屋内空間１１のうち一方の屋内空間１１から屋外に通じた第一開口部（例えば玄関扉１１ａ）が前記一方の屋内空間１１の南面に設けられ、前記一方の屋内空間１１から屋外に通じた第二開口部２ｆが前記一方の屋内空間１１の北面に設けられ、前記西側屋内空間６と前記東側屋内空間１１のうち他方の屋内空間６が上階までの吹き抜けであり、前記他方の屋内空間６から屋外に通じた第三開口部２ｒが前記他方の屋内空間６の壁に設けられ、開閉可能なトップライト６ｂが前記他方の屋内空間６の上部の吹き抜け部に設けられていることを特徴とする建物１である。
【０００６】
請求項１に係る発明によれば、第一建具２ｕを閉じれば、東側屋内空間１１と居室３を仕切ることができ、東側屋内空間１１を屋外からの断熱空間として利用することができる。第二建具８を閉じた場合も、西側屋内空間６を断熱空間として利用することができる。そのため、夏季の朝日や西日によって居室３の室温が上昇してしまうことを抑えることができる。
そして、第一開口部１１ａから第二開口部２ｆに向かう気流又はその逆の気流によって、一方の屋内空間１１の昇温を抑えることができる。その際に居室３を冷房していれば、居室３の冷房の効率を高めることができる。
トップライト６ｂを開くと、第三開口部２ｒからトップライト６ｂに向かう気流によって、他方の屋内空間６の昇温を抑えることができる。その際に居室３を冷房していれば、居室３の冷房の効率を高めることができる。
第一建具２ｕ及び第二建具８を開けば、東側屋内空間１１と西側屋内空間６を通じて居室３の換気を行うことができる。例えば、第一開口部又は第二開口部から一方の屋内空間１１、居室３及び他方の屋内空間６を経由してトップライト６ｂ又は第三開口部２ｒに向かう気流又はその逆気流によって、居室３の換気を行うことができる。
【０００７】
請求項２に係る発明は、請求項１に記載の建物１において、前記第一建具２ｕと前記第二建具８の一方又は両方が可動ルーバー型の建具であることを特徴とする建物１である。
【０００８】
請求項２に係る発明によれば、第一建具２ｕが可動ルーバー型の建具であるので、そのルーバーを動かすことによって、東側屋内空間１１と居室３の通気性を調整することができる。
第二建具８が可動ルーバー型の建具であるので、そのルーバーを動かすことによって、西側屋内空間６と居室３の通気性を調整することができる。
【０００９】
請求項３に係る発明は、請求項１又は２に記載の建物１において、前記他方の屋内空間６に設けられ、前記他方の屋内空間６の床から上階まで上りに設けられたストリップ階段５を更に備えることを特徴とする建物１である。
【００１０】
請求項３に係る発明によれば、ストリップ階段５を用いたので、階段５の下のスペースにも通気性が確保される。更に、第二建具８を開けば、ストリップ階段５の下側の空間を通じて他方の屋内空間６と居室３の通気性を確保することができる。
【００１１】
請求項４に係る発明は、請求項１から３の何れか一項に記載の建物１において、前記居室３の南面に設けられた第四開口部２ｈの前記屋外側に設けられ、前記第四開口部２ｈを開閉する第三建具（例えば掃出窓２ｉ）と、前記第四開口部２ｈの前記居室３側に設けられ、前記第四開口部２ｈを開閉する第四建具（例えば引戸ｔ）と、を更に備えることを特徴とする建物１である。
【００１２】
請求項４に係る発明によれば、第三建具２ｉと第四建具２ｋの両方を開けば、居室３の換気等を行うことができる。
第三建具２ｉと第四建具２ｋの両方を閉じれば、第三建具２ｉと第四建具２ｋの間の空間を居室３及び屋外の両方から仕切ることができる。そのため、居室３の冷暖房効率が向上する。
第三建具２ｉを開いて、第四建具２ｋを閉じれば、第三建具２ｉと第四建具２ｋの間の空間を屋外に開放しつつ、その空間を居室３から仕切ることができる。
第三建具２ｉを閉じて、第四建具２ｋを開けば、第三建具２ｉと第四建具２ｋの間の空間を屋外から仕切りつつ、その空間を居室３に開放することができる。
【００１３】
請求項５に係る発明は、請求項１から４の何れか一項に記載の建物１において、前記一方の屋内空間１１が上階までの吹き抜けであり、開閉可能な第二トップライトが前記一方の屋内空間１１の上部の吹き抜け部に設けられていることを特徴とする建物１である。
【００１４】
請求項５に係る発明によれば、第二トップライトを開くと、第一開口部１１ａ及び第二開口部２ｆから第二トップライトに向かう気流によって、一方の屋内空間１１の昇温を抑えることができる。その際に居室３を冷房していれば、居室３の冷房の効率を高めることができる。
【００１５】
請求項６に係る発明は、請求項５に記載の建物１において、前記一方の屋内空間１１の上部の吹き抜け部の南面に第五開口部２５ｉが設けられ、前記一方の屋内空間１１の上に設けられた屋根３０の軒先３２と前記第五開口部２５ｉの上縁を結ぶ面の仰角が冬至の正午の日照角度に等しく、前記軒先３２と前記第五開口部２５ｉの下縁を結ぶ面の仰角が夏至の正午の日照角度に等しいことを特徴とする建物１である。
【００１６】
請求項６に係る発明によれば、夏季には、太陽光が第五開口部２５ｉを通じて一方の屋内空間１１に入射しづらく、一方の屋内空間１１が昇温し過ぎることを抑えることができる。一方、冬季には、第五開口部２５ｉを通じて太陽光を一方の屋内空間１１に採光しやすく、一方の屋内空間１１を太陽光によって暖めることができる。
【発明の効果】
【００１７】
本発明によれば、第一建具や第二建具を閉じれば、東側屋内空間や西側屋内空間が断熱空間となり、それゆえ、夏季の朝日や西日によって居室の室温が上昇してしまうことを抑えることができる。
第一開口部から第二開口部に向かう気流又はその逆の気流によって、一方の屋内空間の昇温を抑えることができ、居室の冷房の効率を高めることができる。
トップライトを開くと、第三開口部からトップライトに向かう気流によって、他方の屋内空間の昇温を抑えることができ、居室の冷房の効率を高めることができる。
【図面の簡単な説明】
【００１８】
【図１】建物の南面の正面図である。
【図２】建物の一階の平面図である。
【図３】建物の二階の平面図である。
【図４】建物の二階のロフト部分の平面図である。
【図５】図１のV−Vに沿った面の断面図である。
【図６】図１のVI−VIに沿った面の断面図である。
【発明を実施するための形態】
【００１９】
以下に、本発明を実施するための形態について図面を用いて説明する。但し、以下に述べる実施形態には、本発明を実施するために技術的に好ましい種々の限定が付されているので、本発明の技術的範囲を以下の実施形態及び図示例に限定するものではない。
【００２０】
図１は住宅等の建物１の南面を示した正面図である。図２は住宅等の建物１の一階の平面図であり、図３はその建物１の二階の平面図であり、図４はその建物１の二階のロフトの上から見て示した二階の平面図である。図５は図１に示すVI−VI線に沿った面を矢印方向に向かって見て示した断面図である。図２〜図４に示す方位は、建物１が北半球（特に日本国内）に建設された場合の方位である。建物１は、スキップフロア構造を有する二階建ての住宅である。
【００２１】
図２に示すように、建物１の一階の略中央に、上から投影視して平面四角形状の領域１９が配置されている。当該平面四角形状の領域１９の周囲に周壁２が設けられ、領域１９が周壁２によって囲まれている。周壁２が内壁及び外壁からなり、その平面四角形状の領域１９の南側及び西側が屋外であり、その領域１９の北側が屋外であり、その領域１９の東側の南部が屋内であり、その領域１９の東側の北部が屋外である。周壁２のうち南側の壁２ａがダブルグリッドにより設計されたものであり、その南側の壁２ａが周壁２の東側の壁２ｂ、北側の壁２ｃ及び西側の壁２ｄよりも厚くなっている。また、この壁２ａは、建物１の東面、北面及び西面の外壁よりも厚く設けられている。更に、この壁２ａは、建物１の二階の東西南北の外壁よりも厚く設けられている。
【００２２】
平面四角形状の領域１９内（周壁２の内側）には、居室３、サニタリールーム４、階段５、廊下６、クローゼット７、引戸８、壁９及び通路１０が設けられている。
壁９は周壁２の南側の壁２ａと北側の壁２ｃとの間においてこれらの壁２ａ，２ｃに対して平行に設けられ、平面四角形状の領域１９が壁９によって南北に仕切られている。壁９が北側の壁２ｃ寄りに配置されており、平面四角形状の領域１９のうち壁９よりも南側の領域が北側の領域よりも広い。壁９よりも北側の領域には、サニタリールーム４、クローゼット７及び通路１０が設けられている。
【００２３】
壁９の西側部位には開口部９ａが設けられ、その開口部９ａが通路１０に通じる。周壁２の北側の壁２ｃの西側部位には開口部２ｅが設けられ、その開口部２ｅが通路１０に通じる。この通路１０は開口部９ａから開口部２ｅまで南北に延びる。
【００２４】
クローゼット７が通路１０の西側に配置され、サニタリールーム４が通路１０の東側に配置されている。クローゼット７の扉は通路１０に面する。
【００２５】
サニタリールーム４は、平面四角形状の領域１９の北東の角部に配置された水廻り室である。サニタリールーム４の北西の角部には、壁によって囲われた便所４ａが設けられている。サニタリールーム４のうち便所４ａの南側の領域が東西に延びる通路４ｂとなっており、その通路４ｂの西側が通路１０に通じる。便所４ａの出入口は通路４ｂに面している。サニタリールーム４のうち便所４ａ及び通路４ｂの東側の領域には、洗面所、脱衣所及び浴室を兼ねたバスルーム４ｃが配置されている。このバスルーム４ｃと便所４ａと通路４ｂは床続きであり、バスルーム４ｃの床と便所４ａの床と通路４ｂの床が同じ模様・材質の床材によって統一感を有する。通路４ｂとバスルーム４ｃが連続的な空間となっている。なお、通路４ｂとバスルーム４ｃとの境界の開口には目隠し（例えば、扉、ブラインド、カーテン）が設けられていてもよい。
【００２６】
バスルーム４ｃのうち西側の領域であって北側の壁２ｃには、洗面台４ｄが設置されている。バスルーム４ｃのうち東側の領域にはバスタブ４ｅが設置されている。このバスタブ４ｅは東側の壁２ｂに隣接する。上から投影視すると、バスタブ４ｅの南北方向の長さがバスタブ４ｅの東西方向の長さよりも長い。主に、入浴者は北向きになってバスタブ４ｅに浸かり、頭を南側にして、脚を北側へ伸ばす。
【００２７】
周壁２の北側の壁２ｃのうち東側の部位（洗面台４ｄよりも東側の部位）には、開口部２ｆが設けられ、その開口部２ｆに掃出窓２ｇが設けられている。バスタブ４ｅはその掃出窓２ｇの南側に設置されている。そのため、バスタブ４ｅに浸かる入浴者は掃出窓２ｇを通じてバスルーム４ｃの外を眺めることができる。
【００２８】
壁９よりも南側の領域には、居室３、階段５及び廊下６が設けられている。廊下６はクローゼット７の南側に配置され、居室３はサニタリールーム４及び通路１０の南側に配置され、廊下６が居室３の西側に配置されている。通路１０は居室３の北面の最も西側から北へ延びる。
【００２９】
居室３は、リビングダイニングルーム３ａとキッチンルーム３ｂの機能を一室に併存させた部屋である。キッチンルーム３ｂは居室３のうち東北の領域であり、リビングダイニングルーム３ａは居室３の残りの領域である。リビングダイニングルーム３ａとキッチンルーム３ｂは、壁によって仕切られておらず、空間的に連続している。
リビングダイニングルーム３ａは、居住者が食事をするための空間、居住者が寛ぐための寛ぎ空間、居住者が籠るための籠り空間、居住者が運動を行うためのフィットネススペース等として利用されることが想定されている。
【００３０】
居室３の北西の領域には、流し台３ｃ及びダイニングテーブル３ｄが配置されている。流し台３ｃは周壁２及び壁９から離れている。ダイニングテーブル３ｄは、流し台３ｃの東側から南側にかけて流し台３ｃに隣接するように設けられている。流し台３ｃ及びダイニングテーブル３ｄの東側には、リビングダイニングルーム３ａとしての大きな空間が確保されている。
【００３１】
居室３には作業台３ｅが設けられている。この作業台３ｅは壁９に沿って設けられ、作業台３ｅの下には収納棚が設けられている。作業台３ｅの東側部位の上方には、カップボードが配置されており、そのカップボードは壁９に設置されている。作業台３ｅの西側部位には、コンロ３ｆが設けられている。コンロ３ｆと流し台３ｃが南北に対向し、コンロ３ｆと流し台３ｃの間のスペースがキッチンルーム３ｂの作業スペースとなる。
【００３２】
壁９には、開口部９ｂが設けられている。この開口部９ｂはコンロ３ｆよりも東側に配置され、カップボードよりも西側に配置されている。この開口部９ｂには、輻射式空調機の輻射式熱交換器９ｃが開口部９ｂに設けられている。暖房時には、高温の熱媒体が輻射式熱交換器９ｃに供給されることによって、輻射式熱交換器９ｃから居室３及びサニタリールーム４に放熱される。一方、冷房時には、低温の熱媒体が輻射式熱交換器９ｃに供給されることによって、居室３及びサニタリールーム４から輻射式熱交換器９ｃに吸熱される。ここで、輻射式熱交換器９ｃから居室３及びサニタリールーム４に向けた強制対流（ファンによる送風）は発生せず、居室３及びサニタリールーム４の空間と輻射式熱交換器９ｃとの間の熱交換は輻射によって行われる。
【００３３】
また、輻射式熱交換器９ｃにスリット、穴又は隙間等の通気路が設けられており、その通気路が居室３側からサニタリールーム４側へ通じるように設けられ、その通気路及び開口部９ｂを通じて居室３とサニタリールーム４の通気性が確保される。居室３とサニタリールーム４の通気性が確保されることによって、居室３の温度及び湿度とサニタリールーム４の温度及び湿度を均一にすることができる。
なお、輻射式熱交換器９ｃに加えて戸を開口部９ｂに設置してもよい。そうすると、その戸を閉じれば、居室３とサニタリールーム４の通気性を低下させることができ、その戸を開けば、居室３とサニタリールーム４の通気性を高めることができる。
【００３４】
周壁２のうち南側の壁２ａがダブルグリッド壁である。南側の壁２ａの西側部位であって居室３に面する部位には、屋外に通じる開口部２ｈが設けられている。この開口部２ｈには、掃出窓２ｉ、カウンター２ｊ及び引戸２ｋが設置されている。より具体的には、掃出窓２ｇが壁２ａの外面に沿って開口部２ｈに設けられ、引戸２ｋが壁２ａの内面に沿って開口部２ｈに設けられ、カウンター２ｊが掃出窓２ｇと引戸２ｋとの間において開口部２ｈに設けられている。従って、居室３側から見ると、引戸２ｋを閉じることによってカウンター２ｊが引戸２ｋの裏側に隠れる。
【００３５】
引戸２ｋと掃出窓２ｇの両方を開けば、居室３の換気等を行うことができる。また、引戸２ｋと掃出窓２ｇの両方を閉じれば、引戸２ｋと掃出窓２ｇの間の空間を居室３及び屋外の両方から仕切ることができる。引戸２ｋを閉じて、掃出窓２ｇを開けば、引戸２ｋと掃出窓２ｇの間の空間を屋外に開放しつつ、その空間を居室３から仕切ることができる。引戸２ｋを開いて、掃出窓２ｇを閉じれば、引戸２ｋと掃出窓２ｇの間の空間を屋外から仕切りつつ、その空間を居室３に開放することができる。このように、引戸２ｋと掃出窓２ｇの開閉によって、カウンター２ｊを屋外に露出したり、屋外遮断したりすることができるとともに、採光や通気の調整も行うことができる。
【００３６】
壁２ａには、パイプスペース２ｍ、棚２ｎ及びクローゼット２ｐが設けられている。パイプスペース２ｍが開口部２ｈの東側に隣接し、棚２ｎがパイプスペース２ｍの東側に隣接し、クローゼット２ｐが棚２ｎの東側に隣接する。パイプスペース２ｍ、棚２ｎ及びクローゼット２ｐは居室３の南側に面する。更に、壁２ａには、パイプスペース２ｑが設けられている。このパイプスペース２ｑは開口部２ｈの西側に隣接するととともに、廊下６の南側に面する。
【００３７】
居室３の西側及び東側には、居室でない屋内空間が配置されている。つまり、居室でない廊下６が居室３の西側に配置され、居室でない玄関１１が居室３の東側に配置されている。
廊下６は平面四角形状の領域１９のうち西側の端部の領域である。この廊下６は南北に延びる。
【００３８】
周壁２のうち西側の壁２ｄの南側部位（廊下６の西側の壁）には、開口部２ｒが設けられている。この開口部２ｒには、掃出窓２ｓが設けられている。西側の壁２ｄの掃出窓２ｓの上にも、窓（はめ殺し窓、外開き窓、内倒し窓、滑り出し窓、折り畳み窓、上げ下げ窓、回転窓、ルーバー窓）が設けられている。
【００３９】
廊下６上には階段５が設置されている。この階段５は、廊下６の中央部から北に向かって上り、クローゼット７の上のホール２１の西側部位に至る直階段である。この階段５はストリップ階段であって、且つ力桁階段である。階段５の下には、廊下６の一部となるスペースが形成されている。階段５がストリップ階段であるので、階段５の下のスペースにも通気性が確保される。
【００４０】
この廊下６の上は吹き抜けとなっている。廊下６の天井には、シーリングファン６ａが取り付けられている。また、廊下６の天井又はその近傍には、開閉可能なトップライト６ｂが設けられている。シーリングファン６ａはトップライト６ｂの近傍に配置されている。ここで、トップライト６ｂとは、高窓又は天窓のことをいう。トップライト６ｂが天窓である場合には、トップライト６ｂが廊下６の吹き抜けの天井に設けられ、トップライト６ｂが高窓である場合には、トップライト６ｂが後述の外壁４３（図５参照）に設けられている。
【００４１】
廊下６と居室３の境界には、建具としての複数枚の引戸８が設けられている。引戸８のスライド範囲は南側の壁２ａ（居室３の南端）から壁９（居室３の北端）にかけてである。引戸８を必要に応じてスライドさせることによって、廊下６を居室３に開放したり、廊下６と居室３を引戸８によって仕切ったりすることができる。引戸８は可動ルーバー型の引戸であるので、そのルーバーの角度を調整することによって廊下６と居室３の通気性を調整することができるとともに、採光性も調整することができる。
【００４２】
引戸８の上の小壁（その小壁は廊下６と居室３を区切る）にも、はめ殺し窓タイプの採光窓が設けられている。従って、引戸８を閉じても、掃出窓２ｓの上の窓及び引戸８の上の採光窓を通じて居室３に採光することができる。
【００４３】
東側の壁２ｂのうち壁９よりも南側の部位には、開口部２ｔが設けられている。この開口部２ｔには、建具としての複数枚の引戸２ｕが設けられている。引戸２ｕのスライド範囲は南側の壁２ａ（居室３の南端）から壁９（居室３の北端）にかけてである。
引戸２ｕは可動ルーバー型の引戸である。そのため、そのルーバーの角度を調整することによって玄関１１と居室３の通気性を調整することができるとともに、採光性も調整することができる。
【００４４】
居室３の東側には、玄関１１が設けられている。玄関１１の南側には開口部が設けられ、その開口部に玄関１１の扉１１ａが設けられている。その玄関扉１１ａは居室３の南側の壁２ａの外面よりも北側に奥まった位置に設けられている。玄関扉１１ａの外側にポーチ１１ｂが広がっており、玄関扉１１ａの内側に土間１１ｃが広がっている。玄関ポーチ１１ｂの床面と玄関土間１１ｃの床面は高さが揃っており、玄関ポーチ１１ｂと玄関土間１１ｃは玄関扉１１ａを通じて床続きに設けられている。また、玄関ポーチ１１ｂの床と玄関土間１１ｃの床は同じ模様・材質の床材によって統一感を有する。
【００４５】
玄関ポーチ１１ｂの東側には収納庫１１ｄが設けられており、その収納庫１１ｄの扉は建物１の東面に設けられている。玄関土間１１ｃの東側に収納庫（下駄箱）１１ｅが設けられており、その収納庫１１ｅの扉は玄関土間１１ｃの東側の壁に設けられている。
【００４６】
玄関１１の北側の壁１１ｈに開口部１１ｆが設けられ、その開口部１１ｆには、折り畳み型の掃出窓１１ｇが設けられている。
【００４７】
玄関土間１１ｃが居室３の東側に隣接しており、居室３が開口部２ｔを通じて玄関土間１１ｃに通じている。玄関土間１１ｃの北端と居室３の北端が揃っており、開口部２ｔの幅は玄関土間１１ｃの奥行き（南北の長さ）に等しい。そのため、引戸２ｕを開けば、居室３と玄関土間１１ｃとの間には往来の障害となる壁がなく、玄関土間１１ｃは開口部２ｔを介して居室３と行き来自在に連通された状態となっている。居室３の床面は玄関土間１１ｃの床面よりも高い位置に設けられ、居室３の床面と玄関土間１１ｃの床面の間に段差がある。以上のような居室３と玄関１１の空間的配置は、玄関土間１１ｃ側から居室３を見ると居室３が広く見えるという効果をもたらす上、来訪者が居室３の東の縁に腰をかけることができるという効果をもたらす。
【００４８】
玄関１１の北側には、裏庭１２が配置されている。裏庭１２の東側に壁１２ａが立設され、その壁１２ａによって裏庭１２とその東側の空間が仕切られ、裏庭１２が壁１２ａの西側に隠れる。なお、壁１２ａを柵に代えてもよい。
【００４９】
裏庭１２の北側と上方は開放されている。裏庭１２の南側が開口部１１ｆによって玄関土間１１ｃに通じている。玄関土間１１ｃの床面と裏庭１２の床面は高さが揃っており、玄関土間１１ｃと裏庭１２は掃出窓１１ｇを通じて床続きに設けられている。玄関土間１１ｃの床と裏庭１２の床は同じ模様・材質の床材によって統一感を有する。
【００５０】
裏庭１２がサニタリールーム４の東側に隣接し、周壁２の東側の壁２ｂの北側の部位（この部位は建物１の外壁となる。）によって裏庭１２とサニタリールーム４が東西に仕切られている。
【００５１】
建物１の北側部位にはテラス１３、居室１４及び居室１５が設けられている。
テラス１３は、裏庭１２の西側に配置されている。このテラス１３は建物１の躯体（構造体）の内側に設けられたものであるが、屋外空間である。つまり、テラス１３の北側は建物１の北面の外壁によって閉塞されており、周壁２の東側の壁２ｂを北側へ延長した部分には外壁が設けられておらず、その領域には開口部１３ａが形成され、テラス１３が開口部１３ａを通じて裏庭１２に通じている。テラス１３の床面は裏庭１２の床面よりも高い位置に設けられ、テラス１３の床面と裏庭１２の床面の間に段差がある。
【００５２】
テラス１３がサニタリールーム４の東部の北側に隣接し、テラス１３とサニタリールーム４の境界には開口部２ｆ及び掃出窓２ｇが設けられている。従って、掃出窓２ｇを通じてテラス１３とサニタリールーム４の間を行き来することができる。また、バスタブ４ｅは掃出窓２ｇを通じてテラス１３とサニタリールーム４との間をスライドするように設けられている。従って、掃出窓２ｇを開いて、バスタブ４ｅをサニタリールーム４からテラス１３に引き出せば、バスタブ４ｅが開口部１３ａを通じて裏庭１２に臨み、バスタブ４ｅを露天風呂のようにすることができる。そのため、屋外から玄関１１及び掃出窓１１ｇを通って裏庭１２まで移動して、バスタブ４ｅに浸かることができる。また、バスタブ４ｅがテラス１３に出ても、バスタブ４ｅが壁１２ａの裏に隠れるので、プライバシーを保護することができる。
【００５３】
居室１４がテラス１３の西側に隣接し、居室１４の東側の壁には開口部１４ａが形成され、その開口部１４ａには掃出窓１４ｂが設けられている。従って、屋外から玄関１１及び掃出窓１１ｇを通って裏庭１２まで移動して、居室１４に入ることができる。居室１４は寝室として利用されることが想定されている。
【００５４】
居室１４の北西の角部には、壁によって囲まれたクローゼット１４ｃが設けられている。クローゼット１４ｃの南側の壁が開口部２ｅの正面に配置された状態となっている。従って、居室３から居室１４へ向かって通路１０を通過すると、クローゼット１４ｃの南側の壁に突き当たり、その突き当たりから東に向かって居室１４の奥へ進む。そのため、開口部９ａ及び開口部２ｅは開け放たれた状態になっているものの、居室３からの視線は居室１４の奥までは届きにくくなっており、プライバシーの確保を図ることができる。
【００５５】
居室１４の西側には、居室１５が配置されている。居室１５の出入口は居室１５の東側の壁の南側の部位にあり、居室１５からその出入口を通って開口部２ｅの北側に出ることができる。居室１４及び居室１５の北側の壁が建物１の北面の外壁である。その外壁には、横開き窓（外開き窓）１４ｄ，１５ｄが設けられている。横開き窓１４ｄは居室１４の北側の壁の西側部位にあり、横開き窓１５ｄは居室１５の北側の壁の東側部位にあり、クローゼット１４ｃの北側の壁が横開き窓１４ｄと横開き窓１５ｄの間にある。なお、横開き窓１４ｄ，１５ｄを縦すべり出し窓に代えてもよく、後述の横開き窓２２ｂ，２５ｍについても同様である。
【００５６】
居室１５の南側にクローゼット７が配置されているが、その居室１５はクローゼット７の西端（周壁２の西側の壁２ｄ）よりも西側に張り出している。居室１５の南側の壁には開口部１５ａが設けられ、その開口部１５ａには掃出窓１５ｂが設けられている。居室１５の南側であってクローゼット７の西側には、木陰スペース１６が配置されている。木陰スペース１６の床の北部にはデッキ１６ａが設けられ、その床の南部には水盤１６ｂが設けられている。居室１５の西側の外壁は居室１５の南端よりも西側に延長するように設けられ，木陰スペース１６の西側がその壁によって閉塞されている。木陰スペース１６の南側は開放されている。
【００５７】
外気の温度及び湿度が快適である場合、建物１の一階の窓を適宜開けることによって、居室３の換気を行って、居室３の温度及び湿度を快適にすることができる。例えば、掃出窓２ｉ、引戸２ｋ及び横開き窓１４ｄを開けば、南風又は北風によって居室３及び居室１４の換気を効率よく行うことができる。掃出窓２ｓ、引戸８、引戸２ｕ及び掃出窓１１ｇ（掃出窓１１ｇの代わりに玄関扉１１ａでもよい）を開けば、居室３の換気を効率よく行うことができる。
【００５８】
外気が居室３を冷房しない程度の暖かさである場合、建物１の東の外壁が東から日射によって加熱されるときには、掃出窓１１ｇ及び玄関扉１１ａを開くと、北風又は南風が玄関１１を通り抜けることで、玄関１１の温度が上昇することを防止することができる。これにより、居室３の温度が上昇することを防止することができ、居室３に居る者にとって快適性が保たれる。
【００５９】
夏季の朝方、建物１の東面が東からの日射に長時間当たる。そのような場合、建物１の東の外壁が日射によって加熱される。建物１の東の外壁と居室３との間には玄関１１の空間があり、引戸２ｕを閉じれば、玄関１１の空間と居室３の空間が隔離される。そして、玄関１１の空間が断熱空間として機能し、居室３の温度が短時間で上昇することを防止することができる。また、居室３を冷房している場合も、玄関１１の空間が断熱空間として機能するため、居室３の冷房効率の低下を防止することができる。
【００６０】
夏季の昼間等において玄関１１の温度が外気温よりも高くなった場合、掃出窓１１ｇ及び玄関扉１１ａを開くと、北風又は南風が玄関１１を通り抜けるので、玄関１１の温度が低下する。その際に居室３を冷房していれば、玄関１１の温度が低下することによって、玄関１１の温度が居室３の温度に近づくよう低下して、居室３の空間と外気が玄関１１の空間によって断熱されやすくなる。玄関１１の降温後に掃出窓１１ｇ及び玄関扉１１ａを閉じて玄関１１を密閉すれば、玄関１１の対流による居室３の冷房効率の低減を抑えることができる。
【００６１】
夏季の昼過ぎ、建物１の西面が西からの日射に長時間当たる。そのような場合でも、引戸８を閉じれば、廊下６の空間が断熱空間として機能し、居室３の温度が短時間で上昇することを防止することができるとともに、居室３の冷房効率の低下を防止することができる。
【００６２】
廊下６の温度が外気温よりも高くなった場合、掃出窓２ｓ及びトップライト６ｂを開いた上で、シーリングファン６ａによって上昇気流を発生させると、廊下６の空気がトップライト６ｂを通って排気され、廊下６の熱も廃熱される。その際に居室３を冷房していれば、廊下６の降温によって、居室３の空間と外気が廊下６の空間によって断熱されやすくなる。よって、居室３の冷房効率の低減を抑えることができる。
【００６３】
冬季等に居室３を暖房している場合、引戸２ｕ、掃出窓１１ｇ及び玄関扉１１ａを閉じて、玄関１１の空間が断熱空間として機能する。そのため、居室３の暖房効率の低下を防止することができる。同様に、掃出窓２ｓ及びトップライト６ｂを閉じて、シーリングファン６ａを止めれば、廊下６に強制対流が起きないので、廊下６の空間が断熱空間として機能する。よって、居室３の暖房効率の低下を抑えることができる。
【００６４】
図２及び図３に示すように、建物１の二階には、ホール２１、部屋２２、部屋２３、収納室２４、部屋２５、バルコニー２６及びロフト２７等が設けられている。
【００６５】
ホール２１は、階段５の登り切った位置から東側に延びる。このホール２１は、一階のサニタリールーム４の西側部位、クローゼット７及び通路１０の上に配置されている。
【００６６】
部屋２２はホール２１の東側に配置されている。部屋２２はサニタリールーム４の東側部位、居室１４の東側部位及びテラス１３の上に配置されている。部屋２２の出入口２２ａはホール２１の東側の突き当たりに設けられている。部屋２２の東側の壁には、横開き窓２２ｂが設けられている。
【００６７】
部屋２３はホール２１の北側に配置されているとともに、部屋２２の北側部位の西側に配置されている。部屋２３は居室１４の西側部位の上に配置されている。この部屋２３の出入口２３ａはこの部屋２３の南側の壁の西側部位に設けられ、その出入口２３ａがホール２１の北面にある。部屋２３の天井には、天窓２３ｂが設けられている。
【００６８】
収納室２４は部屋２３の西側に配置されているとともに、階段５を上り切った位置の北側に配置されている。収納室２４の天井高はホール２１、部屋２２、部屋２３及び部屋２５の天井高よりも低い。例えば、収納室２４の天井高は０．８〜１．４ｍの範囲の所定値に設定されている。収納室２４の天井高が０．８〜１．４ｍであると、人が収納室２４内において何とか作業ができるとともに、建物１の高さが高くなることによって隣接する建物に及ぼす日照減少等の影響を極力少なくすることができる。この収納室２４の出入口２４ｂが収納室２４の南側の壁の東側部位に設けられ、その出入口２４ｂがホール２１の北面にある。収納室２４は居室１５の上に配置されている。収納室２４の西側の壁には、窓２４ａが設けられている。
【００６９】
ホール２１、部屋２２、部屋２３及び収納室２４は床面の高さが等しい。
【００７０】
収納室２４の上にロフト２７が配置され、ロフト２７と収納室２４が収納室２４の天井（ロフト２７の床）によって区切られている。従って、ロフト２７の床面の高さはホール２１、部屋２２、部屋２３及び収納室２４の床面の高さよりも高い。ロフト２７の西側の壁には、窓２７ａが設けられている。
【００７１】
ホール２１の西側には、ホール２１の西側の突き当たりから西側に向かってロフト２７の階にまで上りの階段２８が設けられている。この階段２８の北側に収納室２４及びロフト２７が配置され、この階段２８の南側にバルコニー２６が配置されている。ロフト２７の南側が開放されており、階段２８を上ってロフト２７に進入することができる。なお、ロフト２７の南面の開口のうち東側の部位が壁又はガラス板等によって塞がれており、階段２８を上り切った位置の北側にロフト２７の出入口が設けられていてもよい。
【００７２】
バルコニー２６はホール２１の西側に配置されている。階段２８を上り切った位置の南側の壁にバルコニー２６の出入口２６ａが設けられている。このバルコニー２６は木陰スペース１６の上に配置されている。
【００７３】
ホール２１及び部屋２２の南側には、部屋２５が配置されている。この部屋２５は居室３及び玄関１１の上に配置されている。部屋２５の床面は、ホール２１、部屋２２、部屋２３及び収納室２４の床面よりも高い位置に設けられているとともに、ロフト２７の床面よりも低い位置に設けられている。ホール２１の床の南端に腰壁が立設されており、部屋２５の床が腰壁の上から南側へ広がっている。その腰壁はホール２１と居室３の上部の空間とを仕切るものである。その腰壁には、棚（カウンター）２１ｂが設けられている。
【００７４】
部屋２５の出入口２５ａは部屋２５の北面の西側に設けられている。出入口２５ａの東側には内壁２５ｂが設けられ、内壁２５ｂの東側に柵２５ｃが設けられている。内壁２５ｂ及び柵２５ｃはホール２１と部屋２５を仕切るものであり、内壁２５ｂ及び柵２５ｃが部屋２５の北面の壁として機能する。内壁２５ｂ及び柵２５ｃは、ホール２１の床の南端に立設された腰壁から上に連続するようにして、部屋２５の床に立設されている。柵２５ｃは縦連子（縦格子）、横連子（横格子）又は格子である。柵２５ｃは、ホール２１と部屋２５との間における空気の流通と、視線や音の通過を可能としている。
出入口２５ａの北側には、ホール２１から部屋２５へ上るための階段２９が設置されている。
【００７５】
部屋２５が目隠し壁２５ｄによって東西に仕切られて、目隠し壁２５ｄよりも西側の領域が目隠し壁２５ｅによって南北に仕切られ、目隠し壁２５ｄよりも東側の領域が目隠し壁２５ｆによって南北に仕切られている。
【００７６】
目隠し壁２５ｄの北端が部屋２５の北側の壁から離れており、目隠し壁２５ｄの南端が部屋２５の南側の壁から離れ、通路としての開口が目隠し壁２５ｄの北側と南側にそれぞれ設けられている。目隠し壁２５ｅの西端が部屋２５の西側の壁から離れており、目隠し壁２５ｅの東端が目隠し壁２５ｄから離れており、通路としての開口が目隠し壁２５ｄの東側と西側にそれぞれ設けられている。目隠し壁２５ｆは目隠し壁２５ｄの中央部から東側へ延出して、その延出した先から南側へ延出し、その延出した先から東側へ延出する。そして目隠し壁２５ｆの東端が部屋２５の東側の壁から離れており、通路としての開口が目隠し壁２５ｆの東側に設けられている。目隠し壁２５ｄと目隠し壁２５ｆとによって挟まれる入隅には収納庫２５ｇが設けられている。
【００７７】
部屋２５の南側の壁の西側部位には、横開き窓２５ｈが設けられている。部屋２５の南側の壁の東側部位に開口部２５ｉが設けられ、その開口部２５ｉに窓２５ｊが設けられている。部屋２５の東側の壁には窓２５ｋが設けられている。部屋２５は部屋２２の東側の壁よりも東側に張り出しており、その張り出した部分の北側の壁には横開き窓２５ｍが設けられている。
【００７８】
図５に示すように、部屋２５の上には、屋根３０が設けられている。この屋根３０は南に向かって下りに傾斜した片流れ屋根である。この屋根３０の軒３１が部屋２５の南側の外壁５３の上端から南側へ延び出ている。図６に示すように、その軒先３２と開口部２５ｉ（その開口部２５ｉには窓２５ｊが設けられている。）の上縁とを結ぶ面の仰角θ１は、建物１が建設された土地における冬至の正午の日照角度に等しい。その軒先３２と開口部２５ｉの下縁とを結ぶ面の仰角θ２は、建物１が建設された土地における夏至の正午の日照角度に等しい。従って、夏季には、太陽光が開口部２５ｉを通じて部屋２５に入射しづらく、部屋２５が昇温し過ぎることを抑えることができる。一方、冬季には、開口部２５ｉを通じて太陽光を部屋２５に採光しやすく、部屋２５を太陽光によって暖めることができる。
【００７９】
この建物１には、一階に設けられた輻射式熱交換器９ｃによって調整された空気を、建物１の二階との間で流通させるための通気構造が採用されている。
このような通気構造は、図５に示すように、輻射式熱交換器９ｃが配置された壁９の上方への延長線に沿って配置されている。
すなわち、ホール２１、部屋２２，２３及び収納室２４の床２０ａが壁９の上端から北側に広がって設けられている。そして、上述したように、その床２０ａの南端に腰壁が立設され、部屋２５の床２５ｎがその腰壁の上端から南側に広がって設けられている。その腰壁には、輻射式熱交換器９ｃの上方の位置する開口部４２が形成されている。また、当該開口部４２にはガラリ４２ａが嵌め込まれた状態となっている。
このような構成によれば、輻射式熱交換器９ｃによって調整された空気が開口部４２を通じて一階から二階へ流れる。
【００８０】
部屋２５の床２５ｎの北端には、上述のように連子型又は格子型の柵２５ｎが設けられている。したがって、ホール２１まで上昇した空気が柵２５ｃを通じて部屋２５へ流れる。
柵２５ｃ及び内壁２５ｂの上方には、ホール２１、部屋２２，２３及びロフト２７の上方にある屋根よりも上方に位置する外壁４３が設けられている。外壁４３は、部屋２２と部屋２５を仕切る内壁２５ｐ（図３参照）と、ホール２１と部屋２５を仕切る内壁２５ｂ及び柵２５ｃとを上方に延長させた面に沿って設けられている。この外壁４３は部屋２３の北側の壁の一部を成す。そして、当該外壁４３には、開閉自在に構成された高窓４４が設けられている。したがって、部屋２５まで上昇した空気がさらに高窓４４を通じて屋外へ排出される。また、この外壁４３の西側の部位が廊下６の吹き抜け部の北側の壁を成し、トップライト６ｂが高窓である場合にはトップライト６ｂがその外壁４３の西側の部位に設けられている。
【００８１】
図５に示すように、この建物１は、居室３とサニタリールーム４の境界に沿った鉛直面Ｓの南側の造りと北側の造りに高低差を持たせた構造となっている。この鉛直面Ｓは、部屋２５の北面（内壁２５ｐ、柵２５ｃ、内壁２５ｂ等）、壁９及び外壁４３に沿う。
【００８２】
建物１の一階について説明すると、鉛直面Ｓの南側となる居室３の床から二階の部屋２５の床２５ｎまでの高さｈ１が高く設定され、鉛直面Ｓの北側となるサニタリールーム４及び居室１４，１５の床から二階のホール２１及び部屋２２，２３の床２０ａまでの高さｈ２が低く設定され、高さｈ２が高さｈ１よりも低い。
建物１の二階について説明すると、境界面Ｓの南側となる部屋２５の床２５ｎから部屋２５の南側の外壁の上端部までの高さｈ３が低く設定され、境界面Ｓの北側となるホール２１及び部屋２２，２３の床２０ａから部屋２２及び部屋２３の北側の外壁の上端部までの高さｈ４が高く設定され、高さｈ４が高さｈ３よりも低い。
【００８３】
すなわち、境界面Ｓの南北の造りに高低差を生じさせるために、各高さｈ１，ｈ２，ｈ３，ｈ４に対応する壁５１，５２，５３，５４が利用されている。
そして、このような高さの異なる壁５１〜５４に対応して、高低差のある二階の床２０ａ，２５ｎが設けられている。
【００８４】
このような構造の建物１は、境界面Ｓの南北の造りに高低差を持たせるために、各高さｈ１，ｈ２，ｈ３，ｈ４に対応する壁５１，５２，５３，５４が利用され、これに伴って床２０ａ，２５ｎを高さの異なるスキップ床とすることができ、南北の高低差を吸収するために境界面Ｓに沿って様々な高さの壁が設けられた状態となっている。
そして、このような境界面Ｓに沿った壁に開口部９ｂ、柵２５ｃ、開口部４２、高窓４４を配置することで、建物１の上下方向における通気構造を構成することが可能となっている。
【００８５】
壁５１，５２，５３，５４は、例えば建築用壁パネルによって構成されている。つまり、建物１自体の壁や床等が、建築用パネルを用いて構成されている。つまり、この建物１はいわゆるパネル工法によって建設されたものである。
ここで、建築用パネルとは、縦横の框材が矩形状に組み立てられるとともに、矩形枠の内部に補助桟材が縦横に組み付けられて枠体が構成され、この枠体の両面もしくは片面に、面材が貼設されたものであり、内部中空な構造となっている。さらに、その内部中空な部分には、通常、グラスウールやロックウール等の断熱材が装填されるものである。
壁５１，５２，５３，５４として建築用壁パネルを用いた場合、高さｈ２，ｈ３に設定された部屋（居室１４、サニタリールーム４及び部屋２５等）に使用される建築用壁パネルは通常の高さとなっている。一方、高さｈ１，ｈ４に設定された部屋（居室３，ホール２１、部屋２２及び部屋２３等）に使用される建築用壁パネルは、前記通常の高さの建築用壁パネルよりも高さが高く設定されている。ただし、当該高さの高い建築用壁パネルは、輸送車両の輸送制限に抵触しないものであり、かつ、通常の高さの建築用壁パネルと同様に施工を行うことができる。したがって、左右の造りに高低差を持たせるために、高さの高い建築用壁パネルを使用しても、施工や輸送の面で不都合は生じない。
【００８６】
〔変形例〕
以下、上記実施形態から変更した変形例について以下に説明する。変形例については上記実施形態から変更箇所の説明をし、変形例と上記実施形態が共通する部分に同一の符号を付し、変形例と上記実施形態の共通点の説明を省略する。また、以下の複数の変形例の変更箇所を組み合わせて適用してもよい。
【００８７】
〔変形例１〕
上述の実施の形態では、玄関１１の上方に部屋２５の東側部位が配置されている。それに対して、次のように変更してもよい。
【００８８】
玄関１１の上には部屋２５の床２５ｎが設けられておらず、玄関１１が屋根３０の下まで至る吹き抜けとなっている。そのため、部屋２５の床２５ｎの東側の縁には壁が立設されており、その壁によって玄関１１の吹き抜け部と部屋２５が仕切られている。
【００８９】
玄関１１の天井には、第二シーリングファンが取り付けられている。また、玄関１１の天井又はその近傍には、開閉可能な第二トップライトが設けられている。その第二シーリングファンは第二トップライトの近傍に配置されている。その第二トップライトは、屋根３０に設けられた高窓であるか、北側の外壁４３の上部に設けられた高窓である。
【００９０】
第二トップライト、玄関扉１１ａ及び掃出窓１１ｇを開いて、第二シーリングファンによって上昇気流を発生させると、玄関扉１１ａ及び掃出窓１１ｇから第二トップライトに向かう気流によって、玄関１１の昇温を抑えることができる。そのため、居室３の冷房効率の低減を抑えることができる。
【００９１】
また、開口部２５ｉ及び窓２５ｊは、玄関１１の上の吹き抜け部となる空間の南側の壁に設けられているとともに、玄関扉１１ａの上に配置されている。図６を用いて説明したように、その軒先３２と開口部２５ｉの上縁とを結ぶ面の仰角θ１が冬至の正午の日照角度に等しく、その軒先３２と開口部２５ｉの下縁とを結ぶ面の仰角θ２が夏至の正午の日照角度に等しいので、冬季は玄関１１が暖かくなりやすく、夏季は玄関１１が涼しくなりやい。
【００９２】
〔変形例２〕
変形例２では、建物１の間取りを東西反転させる。つまり、図１、図２、図３及び図４を東西反転（左右反転）させて得られた図面によって具現される建物（その建物は建物１と鏡像の関係にある。）も本明細書によって開示されたものである。変形例１についても同様である。
【００９３】
〔変形例３〕
上述の実施の形態では、引戸８と引戸２ｕの両方が可動ルーバー型引戸であった。
それに対して、変形例３では、引戸８と引戸２ｕのどちらか一方が可動ルーバー型引戸であり、他方が可動ルーバー型でない引戸である。
【符号の説明】
【００９４】
１  建物
２ｈ  開口部（第四開口部）
２ｉ  掃出窓（第三建具）
２ｋ  引戸（第四建具）
２ｕ  引戸（第一建具）
３  居室
５  階段（ストリップ階段）
６  廊下（西側屋内空間、他方の屋内空間）
６ｂ  トップライト
８  引戸（第二建具）
１１  玄関（東側屋内空間、一方の屋内空間）
１１ａ  玄関扉（第一開口部）
１１ｆ  開口部（第二開口部）
２５ｉ  開口部（第五開口部）
３０  屋根
３２  軒先
【図１】
2016056533.tif 000003
【図２】
2016056533.tif 000004
【図３】
2016056533.tif 000005
【図４】
2016056533.tif 000006
【図５】
2016056533.tif 000007
【図６】
2016056533.tif 000008